(57)【特許請求の範囲】
【請求項１】
パイプ製の横桟に対して水平方向に突設状態に配設する棚板を上縁部に支承する支承板材の一端側上方角部に、前記パイプ製の横桟を抱持固定し得るクランプ機構を有する締付固定部を設け、一端側下方角部に前記横桟の下方に並設されている並設杆に当接する凹状の支承当接部を設けて、前記クランプ機構を有する締付固定部を前記横桟に締付抱持固定し、前記凹状の支承当接部を前記並設杆に当接係止して前記支承板材を固定し、この支承板材の上縁部に前記棚板をパイプ製の前記横桟に対して水平方向に突設状態に配設するように構成したことを特徴とする棚板取付用支承部材。
【請求項２】
前記支承板材の上縁部を、この支承板材の上縁部に前記棚板を載置することでこの棚板を支承し得るように構成したことを特徴とする請求項１記載の棚板取付用支承部材。
【請求項３】
前記支承板材に架設杆を挿通配設する挿通孔を設けたことを特徴とする請求項１，２のいずれか１項に記載の棚板取付用支承部材。
【請求項４】
パイプ製の横桟と、この横桟の下方に並設する並設杆と、支柱とから成るスタンドのこのパイプ製の横桟に対して水平方向に突設状態に配設する棚板を上縁部に支承する支承板材の一端側上方角部に、前記パイプ製の横桟を抱持固定し得るクランプ機構を有する締付固定部を設け、一端側下方角部に前記横桟の下方に並設されている並設杆に当接する凹状の支承当接部を設けて、前記横桟に前記クランプ機構を有する締付固定部で抱持固定し、前記並設杆に前記凹状の支承当接部を当接することで、前記支承板材の上縁部を前記横桟及び前記並設杆に対して回動不能状態に固定し得る構造としたことを特徴とする棚板取付構造。
【請求項５】
前記パイプ製の横桟及び前記並設杆に前記支承板材を複数設け、この複数の支承板材の上縁部により前記棚板を支承するように構成したことを特徴とする請求項４記載の棚板取付構造。
【請求項６】
前記支承板材の上縁部に前記棚板を付設した支承板材の前記クランプ機構を有する締付固定部を前記パイプ製の横桟に固定し、前記支承当接部を前記並設杆に当接することで前記パイプ製の横桟に対して水平方向に突設状態に前記棚板を配設したことを特徴とする請求項４，５のいずれか１項に記載の棚板取付構造。
【請求項７】
前記支承板材に、架設杆を挿通して支承する挿通孔を設けたことを特徴とする請求項４〜６のいずれか１項に記載の棚板取付構造。
【請求項８】
請求項４〜７のいずれか１項に記載の棚板取付構造を備えたことを特徴とするスタンド。
【発明の詳細な説明】
【技術分野】
【０００１】
本発明は、横桟に棚板を取り付けるための棚板取付用支承部材，棚板取付構造並びに前記棚板取付構造を備えたスタンドに関するものである。
【背景技術】
【０００２】
例えば、横桟と支柱とを複数連結して成るスタンドに、棚板を取り付ける構造には様々なものが提案されているが、横桟に対して棚板を簡単に、しかも、秀れた耐荷重性を有した状態で取り付けできる構造はこれまで提案されていない。
【発明の開示】
【発明が解決しようとする課題】
【０００３】
本発明は、例えばスタンドを構成する横桟に棚板を簡単に、しかも、秀れた耐荷重性をもって取り付けることができる実用性に秀れた棚板取付用支承部材，棚板取付構造並びに前記棚板取付構造を備えたスタンドを提供することを目的としている。
【課題を解決するための手段】
【０００４】
添付図面を参照して本発明の要旨を説明する。
【０００５】
パイプ製の横桟１に対して水平方向に突設状態に配設する棚板５を上縁部に支承する支承板材17の一端側上方角部に、前記パイプ製の横桟１を抱持固定し得るクランプ機構Ａを有する締付固定部３を設け、一端側下方角部に前記横桟１の下方に並設されている並設杆２に当接する凹状の支承当接部４を設けて、前記クランプ機構Ａを有する締付固定部３を前記横桟１に締付抱持固定し、前記凹状の支承当接部４を前記並設杆２に当接係止して前記支承板材17を固定し、この支承板材17の上縁部に前記棚板５をパイプ製の前記横桟１に対して水平方向に突設状態に配設するように構成したことを特徴とする棚板取付用支承部材に係るものである。
【０００６】
また、前記支承板材17の上縁部を、この支承板材17の上縁部に前記棚板５を載置することでこの棚板５を支承し得るように構成したことを特徴とする請求項１記載の棚板取付用支承部材に係るものである。
【０００７】
また、前記支承板材17に架設杆を挿通配設する挿通孔18を設けたことを特徴とする請求項１，２のいずれか１項に記載の棚板取付用支承部材に係るものである。
【０００８】
また、パイプ製の横桟１と、この横桟１の下方に並設する並設杆２と、支柱９とから成るスタンドのこのパイプ製の横桟１に対して水平方向に突設状態に配設する棚板５を上縁部に支承する支承板材17の一端側上方角部に、前記パイプ製の横桟１を抱持固定し得るクランプ機構Ａを有する締付固定部３を設け、一端側下方角部に前記横桟１の下方に並設されている並設杆２に当接する凹状の支承当接部４を設けて、前記横桟１に前記クランプ機構Ａを有する締付固定部３で抱持固定し、前記並設杆２に前記凹状の支承当接部４を当接することで、前記支承板材17の上縁部を前記横桟１及び前記並設杆２に対して回動不能状態に固定し得る構造としたことを特徴とする棚板取付構造に係るものである。
【０００９】
また、前記パイプ製の横桟１及び前記並設杆２に前記支承板材17を複数設け、この複数の支承板材17の上縁部により前記棚板５を支承するように構成したことを特徴とする請求項４記載の棚板取付構造に係るものである。
【００１０】
また、前記支承板材17の上縁部に前記棚板５を付設した支承板材17の前記クランプ機構Ａを有する締付固定部３を前記パイプ製の横桟１に固定し、前記支承当接部４を前記並設杆２に当接することで前記パイプ製の横桟１に対して水平方向に突設状態に前記棚板５を配設したことを特徴とする請求項４，５のいずれか１項に記載の棚板取付構造に係るものである。
【００１１】
また、前記支承板材17に、架設杆を挿通して支承する挿通孔18を設けたことを特徴とする請求項４〜６のいずれか１項に記載の棚板取付構造に係るものである。
【００１２】
また、請求項４〜７のいずれか１項に記載の棚板取付構造を備えたことを特徴とするスタンドに係るものである。
【発明の効果】
【００１３】
本発明は上述のように構成したから、横桟に対して簡単に棚板を水平突出状態で配設することができ、しかも、この棚板を横桟のみで片持ち状態で取り付ける場合に比して秀れた耐荷重性をもって配設することができる極めて実用性に秀れた棚板取付用支承部材となる。
【００１４】
また、請求項２記載の発明においては、横桟及び並設杆に簡単に設けることができる支承板材の上縁に、棚板を簡単に配設できるため、横桟に対して棚板を一層簡単に取り付けできることができる極めて実用性に秀れた棚板取付用支承部材となる。
【００１５】
また、請求項３記載の発明においては、挿通孔に挿通配設した架設杆に物を吊るしたり引っ掛けることができ、例えば支承板材に棚板を載置した状態で挿通孔に架設杆を挿通配設した場合には、棚板上に物を載置できる上に架設杆にも物を吊るしたり引っ掛けたりして秀れた収納性を発揮することができる極めて実用性に秀れた棚板取付用支承部材となる。
【００１６】
また、請求項４記載の発明においては、横桟に対して簡単に棚板を水平突出状態で配設することができ、しかも、この棚板を横桟のみで片持ち状態で取り付ける場合に比して秀れた耐荷重性をもって配設することができ、更に棚板に秀れた耐荷重性を付与し得る並設杆は、物を吊るしたり引っ掛けたりする掛杆としても使用することができる極めて実用性，用途性に秀れた棚板取付構造となる。
【００１７】
また、請求項５記載の発明においては、予め棚板に付設された支承板材の締付固定部を横桟に固定し、支承当接部を並設杆に当接するだけで、横桟に対して棚板を簡単に水平突設することができる極めて実用性に秀れた棚板取付構造となる。
【００１８】
また、請求項６記載の発明においては、簡易な締め付け操作によって締付固定部を横桟に締め付け固定でき、これにより、支承板材を横桟に簡単に取り付けることができ、更に、支承板材の上縁部に棚板を単に載置するだけで横桟に対して棚板を水平突設することができる極めて実用性に秀れた棚板取付構造となる。
【００１９】
また、請求項７記載の発明においては、物を吊るしたり引っ掛けたりすることができる架設杆を容易に配設して秀れた収納性を発揮することができる棚板取付構造となる。
【００２０】
また、請求項８記載の発明においては、前記棚板取付構造の作用効果を良好に発揮することができるスタンドとなる。
【発明を実施するための最良の形態】
【００２１】
好適と考える本発明の実施形態（発明をどのように実施するか）を、図面に基づいて本発明の作用を示して簡単に説明する。
【００２２】
本発明は、支承板材17の一端側上方角部に設けたクランプ機構Ａを有する締付固定部３を横桟１に固定し、前記支承板材17の一端側下方角部に設けた支承当接部４を前記横桟１の下方に並設した並設杆２に当接するだけで、横桟１に対して支承板材17の上縁部を水平方向に突設状態で配設でき、これにより、棚板５を横桟１に対して水平突出状態で簡単に取り付けできることとなる。
【００２３】
特に前記固定部３としてクランプ機構Ａを採用しているので、横桟１にこのクランプ機構Ａを締め付け固定し、前記支承当接部４を並設杆２に当接するだけで、横桟１に対して棚板５を一層簡単に水平方向に突出状態で取り付けできることとなる。
【００２４】
また、この際、支承板材17は、横桟１に固定した締付固定部３と並設杆２に当接する支承当接部４により、２点で支持されることとなり、即ち、支承板材17の上縁部で支承した棚板５上に物を載置すると、この物の荷重が支承板材17を押し下げようとする方向にかかるが、この荷重を固定部３で支承すると共に、並設杆２に当接する前記支承当接部４によって受け支承できるため、前記支承板材17を押し下げようとする前記物の荷重を良好に支承できることとなる。
【実施例】
【００２５】
本発明の具体的な実施例について図面に基づいて説明する。
【００２６】
本実施例は、横桟１に対して水平方向に突設状態に配設する棚板を支承する支承部８に前記横桟１に固定する固定部３を設け、この支承部６に設けた垂設部８の端部に前記横桟１の下方に並設されている並設杆２に当接する支承当接部４を設けた構成とした棚板取付用支承部材を用いたスタンドである。
【００２７】
具体的には、前記垂設部８は板状の支承板材17で構成し、この支承板材17の上縁部を前記支承部６とした構成としている。また、支承部６、即ち、支承板材17に設けた固定部３はクランプ機構Ａを有する締付固定部３として構成している。
【００２８】
また、本実施例は、横桟１と、この横桟１の下方に並設する並設杆２と、支柱９とから成るスタンドのこの横桟１に抱持固定する締付固定部３，前記並設杆２に当接する支承当接部４及び棚板５を載置状態で支承する支承板材17とからなる承部材７とで構成し、前記横桟１に前記締付固定部３を締め付け抱持固定し、前記並設杆２に前記支承当接部４を当接することで、前記支承部材７の支承板材17を前記横桟１及び前記並設杆２に対して回動不能状態に固定し得る棚板取付構造を備えたスタンドに係るものである。
【００２９】
本実施例のスタンドは、図３に示すように、パイプ製の横桟１と、同じくパイプ製の支柱９とを連結して組み立てられるものであり、前記横桟１の両端部には後述するクランプ機構Ａを設け、このクランプ機構Ａを支柱９に締め付け固定するだけで横桟１と支柱９とを容易に連結することができるものである。
【００３０】
また、本実施例のスタンドは、四本の支柱９により立設し、後方に配設した二本の支柱９を、前方に配設した二本の支柱９よりも長く設定し、スタンドの中程に位置する前方の二本の支柱９上端に、棚板５若しくはタイヤを配設し得る載置枠体20を付設した構成としている。
【００３１】
横桟１には、前述のように、この横桟１の下方に並設杆２を並設している。
【００３２】
具体的には、横桟１には、図１に示すように、長さ方向に所定間隔を置いて取付板材14を複数垂設し、この取付板材14に並設杆２を取り付けることで、横桟１に並設杆２を並設した構成としている。
【００３３】
この横桟１と並設杆２との間隔は、支承部材７の締付固定部３を横桟１に抱持固定し、支承部材７の支承当接部４を並設杆２に当接した際に、前記支承部材７を横桟１及び並設杆２に秀れた耐荷重性をもって回動不能状態で設けることが可能な間隔に設定している。
【００３４】
支承部材７は、締付固定部３となるクランプ機構Ａと、このクランプ機構Ａに対して突設した支承板材17と、この支承板材17の端部に設けた凹状の支承当接部４とから成る構成としている。
【００３５】
具体的には、図１，図２に示すように、クランプ機構Ａは、横桟１を抱持する抱持縁を有する抱持体10とこの抱持体10の一端部に枢着する抱持縁を有する締付抱持体11と前記抱持体10の他端部及び前記締付抱持体11の他端部に、前記抱持体10若しくは前記締付抱持体11を締め付け閉じ動固定して前記横桟１を締付抱持する締付抱持機構12により構成している。
【００３６】
更に具体的には、このクランプ機構Ａは、横桟１を抱持する抱持縁を有するＬ字形の抱持体10の基端部に、同じく抱持縁を有する締付抱持体11の基端部を枢着し、この抱持体10の先端部に締付抱持機構12を構成する締付ボルト12Ａの基端部を枢着し、この締付ボルト12Ａの先端部を前記締付抱持体11の先端部に設けた係合係止部15に係合し、前記締付ボルト12Ａに螺合した前記締付抱持機構12を構成するナット16を締め付け回動することにより横桟１を締め付け抱持固定し得るように構成している。
【００３７】
尚、本実施例では、クランプ機構Ａの締付抱持機構12としてボルトナット機構を採用したクランプ機構Ａを採用したが、抱持体と締付抱持体とを締め付け抱持できれば、その他の機構を採用しても良く、例えば、抱持体と締付抱持体とを、クサビを挿通配設することで締め付け抱持する機構を採用しても良い。
【００３８】
クランプ機構Ａに対して突設した支承板材17は、図１に示すように、側方から見て略長方形状に形成し、この略長方形状の一端側上方角部に前記クランプ機構Ａを設けている。
【００３９】
そして、このクランプ機構Ａの下方位置、即ち、支承板材17の一端側下方角部に前記凹状の支承当接部４を設けた構成としている。
【００４０】
また、この支承板材17の長さ方向には、架設杆を挿通配設するための挿通孔18を複数設けている。
【００４１】
本実施例では、この挿通孔18を大きさの大小異なる大きさに設定して、径の異なる架設杆を配設できるように構成している。
【００４２】
これにより、挿通孔18に挿通配設した架設杆に所定の物を吊り下げたり引っかけたりすることができる。
【００４３】
また、本実施例のスタンドの中程には、図３，図４に示すように、前後方向に所定間隔を置いて二本の支承杆19を並設して成る前記載置枠体20を設けた構成としている。
【００４４】
この載置枠体20は、二本の支承杆19と、この支承杆19の左右端部に付設される付設板21とにより方形状に形成している。
【００４５】
上述の構成によれば、支承部材７は、クランプ機構Ａを横桟１に締め付け抱持固定し、凹状の支承当接部４を並設杆２に当接係止することで、横桟１及び並設杆２に対して２点支持状態で取り付けられることとなり（図２参照）、これにより、支承板材17の上縁部により支承した棚板５に物を載置した際、この物の荷重によって棚板５が押し下げられる方向、即ち、横桟１に抱持固定したクランプ機構Ａが下方に回動しようとする方向に力が働いても、この力を凹状の支承当接部４を介して並設杆２で受けるかたちとなり、よって、支承部材７は回動不能状態に固定できるため、単にクランプ機構のみで棚板を支承する場合に比して秀れた耐荷重性を発揮することができる。
【００４６】
即ち、本実施例は、支承部材７を例えば前後に配設した二本の横桟１で架け渡した状態で棚板を支承しなくとも、一端部に設けたクランプ機構Ａと凹状の支承当接部４とを横桟１と並設杆２とによって秀れた耐荷重性を発揮できることとなる。
【００４７】
また、支承部材７を、横桟１及び並設杆２の長さ方向により多く配設することで、一枚の棚板５を多くの支承部材７によって支承でき、これにより、一層耐荷重性に秀れる棚板５を横桟１に対して水平突設することができる。
【００４８】
また、支承部材７を、横桟１等に固定する前に、予め棚板５に支承板材17の上縁部を介して複数付設することで、支承部材７を横桟１等に取り付けるだけで横桟１に対して水平突設することもできる。
【００４９】
また、支承部材７は、横桟１及び並設杆２に対して前記取付板材14を除く部位であれば、どこの位置にも設けることが可能であり、よって、支承部材７同士の配設間隔を任意に設定できるため、様々な長さの棚板に対応することができる。
【００５０】
また、載置枠体20には、棚板５を載置して載置台を形成することができ、また、二本の支承杆19間にタイヤの下部を配設することでタイヤを載置する台として使用することもできる。
【００５１】
また、載置枠体20を、スタンドの高さ方向に多段に設けた場合には、前記載置台及び前記タイヤを載置する台を多段に亙って配設することができる。
【００５２】
また、本実施例では、両端部にクランプ機構Ａを設けた横桟１を採用したことで、横桟１と支柱９とを簡単に所望の形状に組み立て連結することができ、また、横桟１に予め並設杆２を設けておくことで、簡単に所定形状に組み立てスタンドに簡単に棚板５を水平突設することができる。
【００５３】
以上、本実施例は、前述のように、横桟１に対して棚板５を非常に簡単に水平突設することができ、しかも、この棚板５に秀れた耐荷重性を付与することができ、更に、棚板５に秀れた耐荷重性を付与し得る並設杆２は物を吊るしたり引っ掛けたりする掛杆としても使用することができる極めて実用性，用途性に秀れた棚板取付構造を備えたスタンドとなる。
【００５４】
尚、本実施例のスタンドは、図面に示すように、四本の支柱によって立設する構成のものを採用したが、二本の支柱を天井と床とで突っ張るようにした構成のものを採用しても良い。
【００５５】
また、図６は、本実施例の支承部材７の別例である。
【００５６】
尚、本発明は、本実施例に限られるものではなく、各構成要件の具体的構成は適宜設計し得るものである。
【図面の簡単な説明】
【００５７】
【図１】本実施例の横桟，この横桟に並設する並設杆及び支承部材を示す説明分解斜視図である。
【図２】本実施例の支承部材が横桟と並設杆とに取り付けられた状態と示す説明側断面図である。
【図３】本実施例の使用状態を示す全体説明斜視図である。
【図４】本実施例の棚板を載置しない状態を示す全体説明斜視図である。
【図５】本実施例の棚板を載置した状態を示す全体説明斜視図である。
【図６】本実施例の支承部材の別例を示す説明斜視図である。
【符号の説明】
【００５８】
１  横桟
２  並設杆
３  締付固定部
４  支承当接部
５  棚板
９  支柱
17 支承板材
18  挿通孔
Ａ  クランプ機構
【図１】
0004494065.tif 000002
【図２】
0004494065.tif 000003
【図３】
0004494065.tif 000004
【図４】
0004494065.tif 000005
【図５】
0004494065.tif 000006
【図６】
0004494065.tif 000007